(57)【要約】【課題】頭髪染色時に後頭部および頭頂部を正面側のミラーに写しながら行えるようにする。【解決手段】後頭部および頭頂部を囲む円弧形状のミラー本体と、該ミラー本体の支持体とを備え、該支持体は自立型あるいは背負い型としている。ミラー本体は後頭部の真後ろを中心として両側の耳の近傍まで延在する断面円弧状に湾曲した後頭部側部分と、該後頭部側部分の上部から頭頂部へ向かって円弧状に湾曲した頭頂部側部分とを連続させた形状とし、ミラー本体は樹脂成形した本体部に鏡面メッキ層を設けた軽量体としている。【選択図】　図１
2004141264.tif 000002
【特許請求の範囲】
【請求項１】
後頭部および頭頂部を囲む円弧形状のミラー本体と、該ミラー本体の支持体とを備え、該支持体は背負い型あるいは自立型としている頭髪染色用バックミラー。
【請求項２】
上記ミラー本体は後頭部の真後ろを中心として両側の耳の近傍まで延在する断面円弧状に湾曲した後頭部側部分と、該後頭部側部分の上部から頭頂部へ向かって円弧状に湾曲した頭頂部側部分とを連続させた形状としている請求項１または請求項２に記載の頭髪染色用バックミラー。
【請求項３】
上記ミラー本体は樹脂成形した本体部に鏡面メッキ層を設けた軽量体とし、上記支持体は上記ミラー本体より一体成形で突出させている請求項１または請求項２に記載の頭髪染色用バックミラー。
【請求項４】
上記背負い型の支持体は、上記ミラー本体の後頭部側部分の下端より突出させた一対の脚部と、これら脚部の下端に連結している横方向に延在する連結部あるいは円弧状の連結部を備え、該連結部の両側に布製等の肩掛け材を取り付けている請求項１乃至請求項３のいずれか１項に記載の頭髪染色用バックミラー。
【請求項５】
上記自立型の支持体は、高さ調節自在な構成としている請求項１乃至請求項３のいずれか１項に記載の頭髪染色用バックミラー。
【発明の詳細な説明】
【０００１】
【発明の属する技術分野】
本発明は頭髪染色用バックミラーに関し、詳しくは、家庭で頭髪の染色（所謂、ヘヤーカラーダイ）をする場合に、正面側のミラーで後頭部および頭頂部を見ながら頭髪染色が出来るようにするものである。
【０００２】
【従来の技術】
近時、白髪を黒色に頭髪を染色する以上に、老若男女を問わず黒髪を茶色に頭髪染色することが多くなっている。この頭髪染色は美容院に行けば美容師によって頭髪全体を略完全に染色してもらうことができるが、１ケ月もすると頭髪の成長で根元部分に頭髪の元の色が出て来て、白髪を黒や茶色に染めても白髪が目立つたり、茶髪に染めても黒色が目立つこととなる。その度に美容院へ行って染色するには、時間がかかりると共に費用もかかることより、家庭で自分で頭髪染色をする場合が非常に多くなっている。
【０００３】
家庭において自分で頭髪染色をする場合、通常、正面側の鏡を見ながら、片手（右手）で染色液を塗布したブラシを持ち、他方の手（左手）で染色液を入れた容器を持ち、容器にブラシをつけながら頭髪を染色している。
なお、公報類および文献類を調査した所、家庭で個人用に使用できる頭髪染色用バックミラーは提供されておらず、特開平８−１４０７３４号で理美容院で使用する理美容用鏡として、鏡本体の反射面に各種髪型のカットラインをエッチングで表示したものにおいて、鏡本体の両側にヒンジを介して湾曲鏡面を設けたものが提案されているだけである。
【０００４】
【特許文献１】
特開平８−１４０７３４号公報
【０００５】
【発明が解決しようとする課題】
このように、従来は、家庭で自分で頭髪染色する場合、正面側の鏡では後頭部および頭頂部は見えないため、適当にブラシで染色液を頭髪に塗っているため、染色出来ていない部分があっても分からない等の問題がある。
手鏡を持って後頭部を正面側の鏡で写しながらブラシで染色することはできるが、その場合、染色液の容器を手に持つことが出来なくなり、容器の染色液をブラシに付けた後に、頭髪に塗るまでの間に染色液が垂れてしまう場合が多い。
染色液が衣服等に付着すると取れにくく、よって、片手にブラシを持ち、他方の手で染色液の容器の持ちながら、染色できるようにすることが望まれている。
なお、上記特開平８−１４０７３４号の鏡は、美容院において美容員が利用してカットラインを確認するものであり、かつ、この鏡を利用しても、後頭部側を写すことが出来ても頭頂部を写すことができず、かつ、頭髪染色をする人が手に持つ必要があるため、前記した問題は解決されていない。
【０００６】
本発明は上記問題に鑑みてなされたもので、正面の鏡を見ながら、片手にブラシを持ち、他方の手に染色液容器を持ちながら、後頭部および頭頂部が見えるバックミラーを提供することを課題としている。
【０００７】
【課題を解決するための手段】
本発明は、上記課題を解決するため、後頭部および頭頂部を囲む円弧形状のミラー本体と、該ミラー本体の支持体とを備え、該支持体は自立型あるいは背負い型としている頭髪染色用バックミラーを提供している。
【０００８】
上記バックミラーを用いると、バックミラーで後頭部および頭頂部を正面側のミラーに写すことができるため、片手でブラシを持ち、他方の手で染色液の容器を持って頭髪染色を行うことができる。
上記背負い型とする場合、背負った状態でバックミラーと頭部との間にブラシを持った手でスムーズに入る空間ができる位置に設定している。このように、背負い型とすると使用時にはスペースを取らないと共に、不要時には頭髪染色を行う洗面所の壁面の適宜な位置に取り付けたフック等に吊り下げておくだけでよく、保管にもスペースを取らない。かつ、洗面所のミラーに向かって立った状態で頭髪染色を行うことができると共に、座った状態でも行うことができる。　上記自立型とする場合は、バックミラーの下部より床面までの脚部を突設している。この脚部を高さ調節可能としておくと、使用者の背丈に容易に合わせることができる。
【０００９】
上記ミラー本体は後頭部の真後ろを中心として両側の耳の近傍まで延在する断面円弧状に湾曲した後頭部側部分と、該後頭部側部分の上部から頭頂部へ向かって円弧状に湾曲した頭頂部側部分とを連続させた形状としている。
なお、正面を見ながら、頭部を若干左右に振ると共に頭部を下げるようにすると、バックミラーで写る範囲が広がるため、後頭部側部の左右両側の前面側への突出量を耳の真横でなく若干後ろ側の位置まででもよく、また、頭頂部側部分の前側突出量も少なくしてもよい。
後頭部側部分の下端位置は肩にあたらない程度の位置としている。
【００１０】
上記ミラー本体は樹脂成形した本体部に鏡面メッキ層を設けた軽量体とし、上記支持体は上記ミラー本体より一体成形で突出させている。
即ち、背負い型とした場合、従来のように、ミラー本体をガラスに反射面となる鏡面を設けると重量が増加し、重荷を背負った感じとなるが、本発明では、樹脂の表面に反射面を形成する鏡面メッキ層を設けているため、軽量となる。よって、バックミラーを楽に背負うことができる。
なお、ミラー本体の樹脂製の本体部の表面（前面）に直接メッキを施しても良いし、鏡面メッキ層を設けたフィルムを本体部の表面に接着剤で固着してもよい。　さらに、樹脂に変えてアルミニウム等の軽量な金属で形成してもよい。
【００１１】
上記背負い型の支持体は、上記ミラー本体の後頭部側部分の下端より突出させた一対の脚部と、これら脚部の下端に連結していると共に横方向に延在する連結部あるいは円弧形状の連結部を備え、該連結部の両側に布製等の肩掛け材を取り付けている。
【００１２】
上記支持体の連結部は肩幅を越えない程度とし、該連結部の両側に円環形状とした肩掛け材を取り付けている。
背負い時には、連結部をＵ形状とすると左右の肩に乗せることができ、バックミラーを安定支持することができる。
また、上記支持体をフロアから起立させる自立型とした場合には、高さ調節機能を負荷して立ち姿勢でも椅子かけ姿勢等にも対応できるようにしている。
【００１３】
【発明の実施の形態】
以下、本発明の実施形態を図面を参照して説明する。
図１乃至図４は第１実施形態の背負い型のバックミラーを示す。
該頭髪染色用のバックミラー１は、後頭部および頭頂部を囲む円弧形状のミラー本体２、該ミラー本体２の支持体３、肩掛け材４とからなる。
上記ミラー本体２と支持体３とは一体の成形した樹脂成型品からなり、肩掛け材４は布製で支持体３に取り付けている。なお、ミラー本体２と支持体３とは別部材として成形し、成形後にビス等の留め具で結合してもよい。
【００１４】
上記ミラー本体２は後頭部の真後ろを中心として両側の耳の近傍まで延在する断面円弧状に湾曲した後頭部側部分２ａと、該後頭部側部分２ａの上部から頭頂部へ向かって円弧状に湾曲した頭頂部側部分２ｂとを連続させた形状としている。　該ミラー本体２はバックミラー１を背負った状態で頭部との間にブラシを持った手がスムーズに入れる程度の空間をあけるようにしており、よって、頭部よりも一回り大きく、かつ、後頭側部分２ａの下端は左右の肩より若干上方に位置する寸法設定としている。
【００１５】
上記ミラー本体２の前面側に当たる後頭部側部分２ａと頭頂部側部分２ｂの円弧内面には鏡面メッキ層５を設けている。なお、鏡面メッキ層を施したフイルムを上記円弧内面に接着剤で固着してもよい。
【００１６】
上記支持体３はミラー本体２の後頭部側部分２ａの下端より一対の脚部３ａ、３ｂを突設し、これら脚部３ａと３ｂを横方向に延在するより細長い連結板部３ｃに連結している。この連結板部３は肩幅程度の長さとし、首の左右両側に位置する脚部３ａ、３ｂよりも左右方向に突出させている。
【００１７】
上記連結板部３ｃの左右両端には、図３に示すように、肩紐通し用のバネ性を持たせたフック部３ｄ、３ｅを突設し、これらフック部３ｄ、３ｅに円環形状とした布製の上記肩掛け材４を通している。
【００１８】
上記構成からなる頭髪染色用バックミラー１では、肩掛け材４を肩に通して背負うと支持体３の連結板部は肩に乗らずに背中側に位置する。この状態で、図４に示すように、ミラー本体２の後頭部側部分２ａは後頭部Ｈ１の背面を所要間隔あけて囲むと共に、頭頂部側部分２ｂは頭頂部Ｈ２の上部を所要間隔をあけて囲むこととなる。
【００１９】
よって、頭髪染色をする人は右手にブラシＢを持ち、左手に染色液の容器Ｃを持ちながら、正面側のミラーＭにバックミラー１により後頭部Ｈ１と頭頂部Ｈ２とを写しながら、頭髪染色を行うことができる。
また、バックミラー１を背負っているため、洗面所において洗面台上方のミラーＭをみながら立った状態で頭髪染色を行うことができる。かつ、バックミラー１のミラー本体２および支持体３は樹脂製としているため軽量であり、かつ、支持体３の連結板部３ｃは肩に乗らないため、重く感じたり、肩が凝ることもなく、バックミラーを使用することができる。
かつ、染色液が垂れた場合には、連結板部３ｃに染色液がつくため、衣服に染色液が付着するのを防止できる。
【００２０】
図５は第１実施形態の変形例を示し、支持体３の連結板部３ｃ’を大きな円弧形状とし、その両側が肩に乗るようにしている。このように、肩に乗せるとバックミラー１を安定支持できる。この場合もミラー本体２は樹脂製で軽量であるため、肩に乗せても重さが負担とはならない。
【００２１】
図６および図７は第２実施形態を示す。
第２実施形態は背負い肩とせずに、自立型とし、ミラー本体２の後頭部側部分２ａの下端より突出させる支持体３０の一対の脚部３１、３２を下方に延在させて床面より起立させている。
【００２２】
上記脚部３１、３２は高さ調節可能とするため、それぞれ２分割し、ミラー本体２より突出させる上側部３１ａ、３２ａは１本の棒状とすると共に間隔をあけてネジ穴３３を設けている。下側部３２ｂ、３２ｂは３本脚として安定支持させ、かつ、３本脚の上部に筒部３４を設け、該筒部３４に穴３４ａを設けている。
上記筒部３４に棒状の上側部３１ａ、３２ａを挿入し、所要のネジ穴３３を筒部３４の穴３４ａと連通させ、ビス３５をネジ込むことで、高さ調節可能としている。
上記支持体３０の高さは、頭髪染色をする時に立った姿勢、あるいは椅子に掛けた姿勢で行うかに応じて調節している。
【００２３】
この自立型のバックミラー１’は、ミラー本体２で頭部を囲むようにすして、背面側に自立させると、上記第１実施形態と同様に、正面側のミラーでバックミラー１’を見ながら、後頭部および頭頂部の頭髪染色を行うことができる。
【００２４】
【発明の効果】
以上の説明より明らかなように、本発明に係わる頭髪染色用バックミラーを用いると、従来は手探りで行っていた後頭部および頭頂部の頭髪染色を正面側のミラーを見ながら行うことができ、後頭部および頭頂部の染色すべき部分あるいは全体を漏れ無く確実に染色することができる。
【００２５】
特に、背負い型とした場合、洗面所でミラーを見ながら立った姿勢でもバックミラーを使用することができ、かつ、両手が空くために、家庭において自分で頭髪染色を簡単かつ確実に行うことができる。
また、背負い型としても、ミラー本体および支持体は樹脂で成形しているため、軽量で重く感じることはなく、使い勝手の良いものとなる。
このように、家庭で簡単かつ確実に頭髪染色を行うことができるため、根元部分が伸びてきても、また、染色部分が脱色しても、其の都度、美容院で頭髪染色をしてもらう必要がなくなり、時間と費用とをカットできる利点がある。
【図面の簡単な説明】
【図１】（Ａ）（Ｂ）は本発明の第１実施形態のバックミラーの斜視図である。
【図２】（Ａ）は正面図、（Ｂ）は背面図、（Ｃ）は側面図、（Ｄ）は断面図である。
【図３】一部斜視図である。
【図４】使用状態を示す図面である。
【図５】第１実施形態の変形例の斜視図である。
【図６】第２実施形態を示す背面図である。
【図７】要部分解斜視図である。
【符号の説明】
１　頭髪染色用バックミラー
２　ミラー本体
２ａ　後頭部側部分
２ｂ　頭頂部側部分
３，３０　支持体
３ａ、３ｂ　脚部
３ｃ　連結板部
４　肩掛け材
Ｍ　正面側のミラー
Ｂ　ブラシ
Ｃ　染色液の容器
Ｈ１　後頭部
Ｈ２　頭頂部
【図１】
2004141264.tif 000003
【図２】
2004141264.tif 000004
【図３】
2004141264.tif 000005
【図４】
2004141264.tif 000006
【図５】
2004141264.tif 000007
【図６】
2004141264.tif 000008
【図７】
2004141264.tif 000009